【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
（ａ）官能性非フッ素化シリコーンポリマーと、
（ｂ）官能性フルオロシリコーンポリマーと、
（ｃ）非官能性フルオロシリコーンポリマーと、の混合物を含む、組成物。
【請求項２】
前記混合物が、前記（ａ）及び（ｂ）の総重量に対して少なくとも５０重量％の官能性非フッ素化シリコーンポリマーを含む、請求項１に記載の組成物。
【請求項３】
前記官能性非フッ素化シリコーンポリマーが少なくとも２個のエチレン性不飽和有機基を有し、
前記官能性フルオロシリコーンポリマーが少なくとも２個のエチレン性不飽和有機基を有し、
前記官能性非フッ素化シリコーンポリマーのビニル当量に対する前記官能性フルオロシリコーンポリマーのビニル当量の比が、少なくとも１である、請求項１又は２に記載の組成物。
【請求項４】
シリコーン架橋剤及びフルオロシリコーン架橋剤の少なくとも一方を更に含む、請求項１〜３のいずれか１項に記載の組成物。
【請求項５】
少なくとも１つの架橋剤が、ケイ素結合ヒドリドの基を含む、請求項４に記載の組成物。
【請求項６】
請求項１〜５のいずれか１項に記載の組成物を含む硬化剥離材料であって、
前記官能性非フッ素化シリコーンポリマー及び前記官能性フルオロシリコーンポリマーが架橋されている、硬化剥離材料。
【請求項７】
（ａ）（ａ）及び（ｂ）の総重量に対して少なくとも８０重量％以上９５重量％以下の、少なくとも２個のエチレン性不飽和基を有する官能性非フッ素化シリコーンポリマーと、
（ｂ）（ａ）及び（ｂ）の総重量に対して少なくとも５重量％以上２０重量％以下の、少なくとも２個のエチレン性不飽和基を有する官能性フルオロシリコーンポリマーと、
（ｃ）１００重量部の（ａ）及び（ｂ）に対して少なくとも１重量部以上１５重量部以下の非官能性フルオロシリコーンポリマーと、の混合物を含む、組成物。
【請求項８】
請求項７に記載の組成物を含む硬化剥離材料であって、
前記官能性非フッ素化シリコーンポリマー及び前記官能性フルオロシリコーンポリマーが架橋されている、硬化剥離材料。
【請求項９】
基材と、前記基材の少なくとも１つの表面の少なくとも一部に接合された請求項８に記載の硬化剥離材料と、を含む、剥離ライナー。
【請求項１０】
請求項９に記載の剥離ライナーと、前記硬化剥離材料の少なくとも１つの表面の少なくとも一部に接触するシリコーン接着剤と、を含む、接着物品。
【手続補正２】
【補正対象書類名】明細書
【補正対象項目名】００９８
【補正方法】変更
【補正の内容】
【００９８】
【表１】
2017505361.tif 000001
【手続補正３】
【補正対象書類名】明細書
【補正対象項目名】０１００
【補正方法】変更
【補正の内容】
【０１００】
【表２】
2017505361.tif 000002
【手続補正４】
【補正対象書類名】明細書
【補正対象項目名】０１０６
【補正方法】変更
【補正の内容】
【０１０６】
【表３】
2017505361.tif 000003
【手続補正５】
【補正対象書類名】明細書
【補正対象項目名】０１０７
【補正方法】変更
【補正の内容】
【０１０７】
【表４】
2017505361.tif 000004
【手続補正６】
【補正対象書類名】明細書
【補正対象項目名】０１０９
【補正方法】変更
【補正の内容】
【０１０９】
【表５】
2017505361.tif 000005
【手続補正７】
【補正対象書類名】明細書
【補正対象項目名】０１２５
【補正方法】変更
【補正の内容】
【０１２５】
【表６】
2017505361.tif 000006
【手続補正８】
【補正対象書類名】明細書
【補正対象項目名】０１２７
【補正方法】変更
【補正の内容】
【０１２７】
【表７】
2017505361.tif 000007
【手続補正９】
【補正対象書類名】明細書
【補正対象項目名】０１３０
【補正方法】変更
【補正の内容】
【０１３０】
【表８】
2017505361.tif 000008
【手続補正１０】
【補正対象書類名】明細書
【補正対象項目名】０１３２
【補正方法】変更
【補正の内容】
【０１３２】
【表９】
2017505361.tif 000009
【手続補正１１】
【補正対象書類名】明細書
【補正対象項目名】０１３４
【補正方法】変更
【補正の内容】
【０１３４】
【表１０】
2017505361.tif 000010
【手続補正１２】
【補正対象書類名】明細書
【補正対象項目名】０１３６
【補正方法】変更
【補正の内容】
【０１３６】
【表１１】
2017505361.tif 000011
【手続補正１３】
【補正対象書類名】明細書
【補正対象項目名】０１４０
【補正方法】変更
【補正の内容】
【０１４０】
【表１２】
2017505361.tif 000012
【手続補正１４】
【補正対象書類名】明細書
【補正対象項目名】０１４２
【補正方法】変更
【補正の内容】
【０１４２】
【表１３】
2017505361.tif 000013
【手続補正１５】
【補正対象書類名】明細書
【補正対象項目名】０１４４
【補正方法】変更
【補正の内容】
【０１４４】
【表１４】
2017505361.tif 000014
【手続補正１６】
【補正対象書類名】明細書
【補正対象項目名】０１４６
【補正方法】変更
【補正の内容】
【０１４６】
【表１５】
2017505361.tif 000015
【手続補正１７】
【補正対象書類名】明細書
【補正対象項目名】０１４８
【補正方法】変更
【補正の内容】
【０１４８】
【表１６】
2017505361.tif 000016
【手続補正１８】
【補正対象書類名】明細書
【補正対象項目名】０１５０
【補正方法】変更
【補正の内容】
【０１５０】
【表１７】
2017505361.tif 000017
【手続補正１９】
【補正対象書類名】明細書
【補正対象項目名】０１５２
【補正方法】変更
【補正の内容】
【０１５２】
【表１８】
2017505361.tif 000018
【手続補正２０】
【補正対象書類名】明細書
【補正対象項目名】０１５４
【補正方法】変更
【補正の内容】
【０１５４】
【表１９】
2017505361.tif 000019
【手続補正２１】
【補正対象書類名】明細書
【補正対象項目名】０１５６
【補正方法】変更
【補正の内容】
【０１５６】
【表２０】
2017505361.tif 000020
【手続補正２２】
【補正対象書類名】明細書
【補正対象項目名】０１５８
【補正方法】変更
【補正の内容】
【０１５８】
【表２１】
2017505361.tif 000021
【手続補正２３】
【補正対象書類名】明細書
【補正対象項目名】０１６０
【補正方法】変更
【補正の内容】
【０１６０】
【表２２】
2017505361.tif 000022
【手続補正２４】
【補正対象書類名】明細書
【補正対象項目名】０１６３
【補正方法】変更
【補正の内容】
【０１６３】
【表２３】
2017505361.tif 000023
【手続補正２５】
【補正対象書類名】明細書
【補正対象項目名】０１６４
【補正方法】変更
【補正の内容】
【０１６４】
【表２４】
2017505361.tif 000024
【手続補正２６】
【補正対象書類名】明細書
【補正対象項目名】０１６６
【補正方法】変更
【補正の内容】
【０１６６】
【表２５】
2017505361.tif 000025
【手続補正２７】
【補正対象書類名】明細書
【補正対象項目名】０１６８
【補正方法】変更
【補正の内容】
【０１６８】
【表２６】
2017505361.tif 000026
【手続補正２８】
【補正対象書類名】明細書
【補正対象項目名】０１７０
【補正方法】変更
【補正の内容】
【０１７０】
【表２７】
2017505361.tif 000027
【手続補正２９】
【補正対象書類名】明細書
【補正対象項目名】０１７２
【補正方法】変更
【補正の内容】
【０１７２】
【表２８】
2017505361.tif 000028
【手続補正３０】
【補正対象書類名】明細書
【補正対象項目名】０１７４
【補正方法】変更
【補正の内容】
【０１７４】
【表２９】
2017505361.tif 000029
【手続補正３１】
【補正対象書類名】明細書
【補正対象項目名】０１７６
【補正方法】変更
【補正の内容】
【０１７６】
【表３０】
2017505361.tif 000030